(57)【要約】      （修正有）【課題】陳列台からピアスホルダを容易に着脱することができ、取付・取外作業を行う際の煩雑さを解消することができる陳列用具を提供する。【解決手段】陳列用具は、ピアスＰが保持されるピアスホルダ２と、このピアスホルダ２が取り付けられる陳列台とから構成されている。ピアスホルダ２は、ピアスＰを保持する保持片３ａ、この保持片３ａの上端部から当該保持片３ａに対して直交するように延設された支持片３ｂと、この支持片３ｂの端部下面から下方に向けて延設された突出片３ｃとからなる。保持片３ａには表裏面に貫通した保持部としての貫通孔が形成されるとともに、貫通孔と上端部との間に直線状の溝５が形成されており、保持片３ａは、この溝５が形成されている部分を起点に、貫通孔が形成されている側が係着部６に対して揺動自在となっている。【選択図】図２
0003185951.tif 000002
【実用新案登録請求の範囲】
【請求項１】
陳列物を保持するホルダと、該ホルダが取り付けられる被係着部を備えた陳列台とからなる陳列用具であって、
前記ホルダは、
前記陳列台の被係着部に係着する係着部と、
前記陳列物を保持する保持部と、
前記係着部と保持部との間に形成された直線状の折れ曲がり部とを備え、
前記保持部が、前記折れ曲がり部を起点に前記係着部に対して揺動自在であり、
該ホルダは、前記係着部が前記被係着部に係着することで陳列台に取り付けられるように構成されていることを特徴とする陳列用具。
【請求項２】
前記陳列台の被係着部が帯状の部材からなり、
前記ホルダは、前記保持部が形成された保持片と、該保持片の一端部から前記保持片に対して直交するように延設された支持片と、該支持片の一端部から前記支持片と直交し且つ一方面が前記保持片の一方面と対向するように延設された突出片とからなる板状の部材からなり、
前記係着部は、前記保持片の一端部側、支持片及び突出片によって形成され、
前記折れ曲がり部は、前記保持部と係着部との間に形成されていることを特徴とする請求項１記載の陳列用具。
【請求項３】
前記ホルダは、
前記係着部及び被取付部が形成された係着部材と、
前記保持部が形成されるとともに、前記係着部材の被取付部に取り付けられる取付部を有する板状の保持部材とから構成されており、
前記折れ曲がり部は、前記保持部材における保持部と取付部との間に形成され、
前記保持部が、前記折れ曲がり部を起点に前記取付部に対して揺動自在であることを特徴とする請求項１記載の陳列用具。
【請求項４】
前記陳列台の被係着部が帯状の部材からなり、
前記係着部材は、相互に対向する２つの片及び該２つの片と直交する１つの片とを備えており、
前記３つの片によって係着部が形成され、
前記３つの片のいずれかに取付部が形成されていることを特徴とする請求項３記載の陳列用具。
【考案の詳細な説明】
【技術分野】
【０００１】
本発明は、アクセサリなどの陳列物を陳列するための陳列用具に関する。
【背景技術】
【０００２】
従来から、指輪や、首飾り、耳飾りといったアクセサリ（陳列物）などを取り扱う店舗においては、多数の陳列物を種々の方法で陳列するようにしている。
【０００３】
上記陳列方法の１つとして、台紙などに陳列物を保持させ、この台紙を陳列台に取り付ける陳列方法があり、イヤリングやピアスなどの耳飾りに関しては、これらが通常２個一組で使用される比較的小さなアクセサリであるため、店舗に陳列する場合には、一般的に、この台紙を用いた陳列方法が採用されている。
【０００４】
そして、上記のように、耳飾りを保持する台紙としては、例えば、実用新案登録第３１０６９０１号公報に開示されたピアス用の展示具が提案されている。このピアス用の展示具について、図１０（ａ）を参照して以下説明する。
【０００５】
上記ピアス用の展示具１００は、矩形状に形成されたパネル１０１と、このパネル１０１の上縁の裏面側に設けられた断面視Ｌ字形状の支え部１０２と、パネル１０１に設けられた差込孔１０３などから構成されており、この展示具１００は、差込孔１０３に表面側からピアス１０５の針１０６を差し込み、裏面側に突出した針１０６にキャッチ１０７を嵌合させることで、ピアス１０５を保持するようになっている。そして、この展示具１００は、支え部１０２を展示台に設けられた帯状部材１１０などに係着させることで、図１０（ａ）に示すように、ピアス１０５を保持した状態で展示台に取り付けることができるようになっている。
【先行技術文献】
【特許文献】
【０００６】
【特許文献１】実用新案登録第３１０６９０１号公報
【考案の概要】
【考案が解決しようとする課題】
【０００７】
ところが、上記展示具１００のように、支え部１０２などを帯状部材１１０などに係着させて、展示具１００を展示台に取り付けるようにした場合、展示具１００の取付・取外作業が煩雑なものになるという問題があり、特に、陳列物がパネル１０１の裏面側にその一部が突出した状態で保持されるものである場合には、取付・取外作業が極めて煩雑になるため大きな問題となる。
【０００８】
即ち、上記展示具１００においては、図１０（ａ）に示すように、パネル１０１にピアス１０５を保持させた場合に、ピアス１０５の針１０６が支え部１０２の下方近傍に位置しており、支え部１０２の先端と針１０６との間の隙間が狭くなっている。したがって、支え部１０２を帯状部材１１０に係着させ難く、展示台への展示具１００の取付作業が煩雑なものになるという問題がある。
【０００９】
また図１０（ｂ）に示すように、展示具を１００を取り外すために、帯状部材１１０に係着させた支え部１０２を上側に持ち上げた際に、ピアス１０５の針１０６やキャッチ１０７が帯状部材１１０に引っ掛かるため、展示台から展示具１００の取付作業も煩雑なものになる。
【００１０】
このように、従来の展示具１００は、例えば、購入予定者が購入を検討するに際して、ピアスを手に取り、これを見ようとした場合に、ピアス１０５が保持されたパネル１０１を展示台から取り外し難く、更に、取り外したパネル１０１を元の位置に戻し難いものとなっている。
【００１１】
本考案は以上の実情に鑑みなされたものであり、陳列物を保持するホルダを容易に着脱することができ、従来のような取付・取外作業における煩雑さを解消することができる陳列用具の提供を、その目的とする。
【課題を解決するための手段】
【００１２】
上記課題を解決するための本考案は、
陳列物を保持するホルダと、該ホルダが取り付けられる被係着部を備えた陳列台とからなる陳列用具であって、
前記ホルダは、前記陳列台の被係着部に係着する係着部と、
前記陳列物を保持する保持部と、
前記係着部と保持部との間に形成された直線状の折れ曲がり部とを備え、
前記保持部が、前記折れ曲がり部を起点に前記係着部に対して揺動自在であり、
該ホルダは、前記係着部が前記被係着部に係着することで陳列台に取り付けられるように構成されている陳列用具に係る。
【００１３】
この陳列用具によれば、ホルダの保持部に陳列物を保持させた後、折れ曲がり部を起点にホルダの保持部を係着部に対して揺動させて、当該保持部を係着部から遠ざけた状態で、係着部を陳列台の被係着部に係着させて、当該ホルダを陳列台に取り付ける。また、陳列台に取り付けたホルダは、同様に、ホルダの保持部を係着部に対して揺動させて、当該保持部を係着部から遠ざけた状態で、係着部と被係着物との係着状態を解除することで取り外される。このように、ホルダの保持部を係着部に対して揺動させて、保持部を係着部から遠ざけた状態で、係着部を被係着部に係着させる、或いは、係着部と被係着部との係着状態を解除するようにすることで、例えば、陳列物の一部と係着部との間の隙間が狭いような場合であっても、この陳列物の一部と係着部とを遠ざけた状態でホルダの取付・取外作業を行うことができるため、従来のような問題が生じることもなく、取付・取外作業における煩雑さを解消することができる。
【００１４】
また、上記陳列用具において、陳列台の被係着部が帯状の部材からなる場合には、前記ホルダは、前記保持部が形成された保持片と、この保持片の一端部から前記保持片に対して直交するように延設された支持片と、この支持片の一端部から前記支持片と直交し且つ一方面が前記保持片の一方面と対向するように延設された突出片とからなる板状の部材からなり、前記係着部は、前記保持片の一端部側、支持片及び突出片によって形成され、前記折れ曲がり部は、前記保持部と係着部との間に形成された構成としても良い。
【００１５】
この場合、保持片の一端部側、支持片及び突出片によって形成された係着部を陳列台の帯状の被係着部に係着させることで、ホルダを陳列台に取り付けることができる。このようにしても、ホルダの取付作業を行う際に、折れ曲がり部を起点に保持部を係着部に対して揺動させて、当該保持部を係着部から遠ざけることで、例えば、保持片の一方面側に陳列物の一部が突出しているような場合でも、この突出した部分を係着部から遠ざけて、両者の間の隙間を広くすることができるため、従来のように作業が煩雑になるといった問題が生じるのを防止することができる。また、取外作業においても、上述したように保持部を同方向に揺動させることで、陳列部の一部が被係着部に引っ掛かるという問題の発生を抑えることができ、ホルダを陳列台からスムーズに取り外すことができる。
【００１６】
また、上記ホルダは、前記係着部及び被取付部が形成された係着部材と、前記保持部が形成されるとともに、前記係着部材の被取付部に取り付けられる取付部を有する板状の保持部材とから構成されており、前記折れ曲がり部は、前記保持部材における保持部と取付部との間に形成され、前記保持部が、前記折れ曲がり部を起点に前記取付部に対して揺動自在であるように構成しても良い。
【００１７】
この場合、係着部材の被取付部に保持部材の取付部を取り付けることで、係着部及び保持部を備えたホルダが構成され、係着部を陳列台の被係着部に係着させることで、ホルダを陳列台に取り付けることができ、係着状態を解除することで、ホルダを陳列台から取り外すことができる。また、保持部材における保持部と取付部との間に、折れ曲がり部を形成して当該折れ曲がり部を起点に保持部が取付部に対して揺動するようになっているため、保持部を取付部から遠ざける方向に揺動させた状態で取付・取外作業を行うことで、これらの作業を行う際の煩雑さを解消することができる。
【００１８】
更に、ホルダを係着部材と保持部材とから構成するようにし、係着部材から保持部材を取付・取外自在としたことで、例えば、購入者に保持部材ごと陳列物を提供し、係着部材は再度利用するようにすれば、購入者に陳列物を提供する際に、陳列物を保持部材から取り外すという作業を行わなくともよくなるため、提供時の利便性を向上させることができる。
【００１９】
尚、ホルダが係着部材と保持部材とから構成される場合においても、陳列台の被係着部が帯状の部材からなる場合には、前記係着部材を、相互に対向する２つの片及びこの２つの片と直交する１つの片とから構成し、これら３つの片によって係着部が形成されるとともに、これら３つの片のいずれかに取付部を形成した構成としても良い。
【考案の効果】
【００２０】
以上のように、本考案に係る陳列用具によれば、ホルダを容易に陳列台に対して着脱することができ、販売者や購入予定者が取付・取外作業を行う際の煩雑さを解消することができる。
【図面の簡単な説明】
【００２１】
【図１】本考案の一実施形態に係る陳列用具の概略構成を示した正面図である。
【図２】本考案の一実施形態に係るピアスホルダを示した斜視図である。
【図３】（ａ）は、ピアスホルダを示した側面図であり、（ｂ）は、矢示Ａ方向から見た背面図である。
【図４】一実施形態に係るピアスホルダを被係着部材に係着させた際の状態を示した斜視図である。
【図５】一実施形態に係るピアスホルダを被係着部材から取り外す際の過程を説明するための説明図である。
【図６】本考案の他の実施形態に係るピアスホルダを示した図であり、（ａ）は側面図、（ｂ）は（ａ）における矢示Ｂ方向から見た背面図である。
【図７】他の実施形態に係るピアスホルダを被係着部材に係着させた際の状態を示した斜視図である。
【図８】本考案の他の実施形態に係るピアスホルダを示した図であり、（ａ）は側面図、（ｂ）は（ａ）における矢示Ｃ方向から見た上面図である。
【図９】他の実施形態に係るピアスホルダを被係着部材に係着させた際の状態を示した斜視図である。
【図１０】（ａ）は、従来の展示具を帯状部材に係着させた状態を示した図であり、（ｂ）は、展示具を帯状部材から取り外す際の状態を示した図である。
【考案を実施するための形態】
【００２２】
以下、本考案の具体的な実施の形態について、陳列物としてピアスを採用した場合を例にとって、図面を参照しつつ説明する。
【００２３】
図１に示すように、本例の陳列用具１は、ピアスＰが保持されるピアスホルダ２と、このピアスホルダ２が取り付けられる陳列台１０とからなる。
【００２４】
前記ピアスホルダ２は、図２及び図３に示すように、ピアスＰを保持する保持片３ａと、この保持片３ａの上端部から当該保持片３ａに対して直交するように延設された支持片３ｂと、この支持片３ｂの端部下面から下方に向けて延設された突出片３ｃとからなり、これら保持片３ａの上端部側、支持片３ｂ及び突出片３ｃによって、断面視コの字形状の係着部６が形成されている。
【００２５】
前記保持片３ａには、その表裏面を貫通した保持部としての貫通孔４が形成されており、この貫通孔４に表面側からピアスＰの針部Ｐ１を差し込み、裏面側に突出した針部Ｐ１に留め具Ｐ２を取り付けることで、図２に示すように、ピアスＰをピアスホルダ２に保持することができるようになっている。また、当該保持片３ａには、前記貫通孔４と上端部との間の表裏面に、上端に対して平行な方向に沿って折れ曲がり部としての直線状の溝５が形成されており、当該保持片３ａは、この溝５が形成されている部分（折れ曲がり部）を起点に、保持片３ａの貫通孔４が形成されている側（以下、「保持部側」という）が係着部６に対して揺動自在となっている（図３（ａ）参照）。
【００２６】
尚、前記ピアスホルダ２の素材としては、プラスチックや紙などを例示することができ、加工のし易さや要求される強度、耐久性などに応じて適宜選択することが好ましい。また、前記ピアスホルダ２は、一枚の板を加工することで作成するようにしても良いし、複数枚の板を適宜繋ぎ合せて作成するようにしても良い。
【００２７】
前記陳列台１０は、２本の主柱１１，１１と、当該主柱１１，１１間に架け渡された断面形状が長方形状の帯状の被係着部材１２とからなり、これら主柱１１，１１及び被係着部材１２は、ピアスホルダ２を被係着部材１２に取り付けた際に、ピアスＰ（陳列物）やピアスホルダ２の重さに十分耐えられることができる強度を備えた材料から構成されている。
【００２８】
この陳列用具１においては、ピアスホルダ２にピアスＰを保持した後、前記溝５が形成された部分を起点に、前記保持部側を図３（ａ）の紙面に向かって左側（以下。「左側」という）、すなわち、当該保持部側を係着部６から遠ざける方向に向けて揺動させた状態で、係着部６を被係着部材１２に係着させる、具体的に言えば、保持片３ａの上端側、支持片３ｂ及び突出片３ｃからなる係着部６を被係着部材１２に嵌合させることで、図４に示すように、ピアスホルダ２が陳列台１０に取り付けられる。
【００２９】
また、ピアスホルダ２を陳列台１０から取り外す際には、まず、図５（ａ）に示すように、前記保持部側を左側に向けて揺動させる。ついで、図５（ｂ）に示すように、この揺動させた状態を維持したままピアスホルダ２を上方に持ち上げることで、ピアスホルダ２に保持されたピアスＰの針部Ｐ１が被係着部材１２に接触することなく、スムーズにピアスホルダ２が陳列台１０から取り外される。
【００３０】
このように、本例の陳列用具１によれば、従来のように、ピアスホルダ２を陳列台１０に取り付ける際に、ピアスＰ（陳列物）の一部が被係着部材１２に引っ掛かり、取付作業が煩雑になるといったこともなく、また、取外作業時においても、同様に、被係着部材１２にピアスＰの一部が引っ掛かることもなく、スムーズに作業を行うことができる。
【００３１】
以上、本発明の具体的な実施形態について説明したが、本発明の採り得る態様は何らこれに限定されるものではない。
【００３２】
例えば、上例においては、被係着部材１２として帯状の部材を採用したが、必ずしもこのような形状である必要はなく、棒状の部材を採用するようにしても良い。この場合、係着部の形状は、当該棒状の被係着部材に係着できる形状とする。
【００３３】
また、上例においては、折れ曲がり部として溝５を形成するようにしているが、例えば、ミシン目を入れるようにしても良い。尚、ミシン目を入れる場合には、前記保持部側と係着部６とが分離することがないように、ミシン目の穴の間隔を調整し、適切な強度を維持するようにする。
【００３４】
また、上例におけるピアスホルダ２は、保持片３ａ、支持片３ｂ及び突出片３ｃの３つからなる板状の部材によって構成するようにしたが、これに限られるものではなく、ピアスを保持する保持部材と当該保持部材が取り付けられた状態で陳列台の被係着部材に係着する係着部材と構成するようにしても良い。これについて、図６及び図７を参照して以下説明する。
【００３５】
図６は、他の実施形態に係る陳列用具のピアスホルダ２０を示した図である。同図に示すように、このピアスホルダ２０は、保持部としての貫通孔２２が形成された板状の保持部材２１と、平行な２つの片２５ａ，２５ｂ及びこれら２つの片２５ａ，２５ｂに直交する１つの片２５ｃからなり、これら３つの片２５ａ，２５ｂ，２５ｃによって断面視コの字形状の係着部２６が形成された係着部材２５とからなる。
【００３６】
前記保持部材２１は、当該保持部材２１の取付部として機能する上端部側が、前記係着部材２５における平行な２つの片２５ａ，２５ｂの内の被取付部として機能する一方の片２５ａに適宜接着手段によって取り付けられており、また、当該保持部材２１には、その上端部側と前記貫通孔２２との間に折れ曲がり部として機能する直線状の溝２３が表裏面にそれぞれ形成されている。
【００３７】
このピアスホルダ２０によれば、ピアスＰが保持された保持部材２１を係着部材２５に取り付けてピアスホルダ２０を構成した後、溝２３が形成された部分を起点に、貫通孔２２が形成されている側（以下、「保持部側」という）を図６の紙面左側に向けて、すなわち、当該保持部側を係着部２６から遠ざける方向に揺動させた状態で、係着部２６を被係着部材１２に係着させることで、図７に示すように、ピアスホルダ２０が陳列台に取り付けられる。一方、前記保持部側を同方向に揺動させた状態で、ピアスホルダ２０を上方に持ち上げることで、ピアスホルダ２０が陳列台から取り外される。
【００３８】
このように、ピアスホルダ２０においても、保持部材２１の保持部側を係着部２６から遠ざけるように揺動させることによって、係着部２６とピアスＰの針部Ｐ１との間の隙間を広げることができ、従来、取付・取外作業に生じていたような問題の発生を抑えて、取付・取外作業をスムーズに行うことができる。
【００３９】
また、上記ピアスホルダ２０において、保持部材２１は、適宜接着手段によって係着部材２３に取り付けるようにしているが、例えば、他の手段によって取り付けるようにしても良い。これについて、図８及び図９を参照して以下説明する。
【００４０】
図８は、他の実施形態に係る陳列用具のピアスホルダ３０を示した図である。同図に示すように、このピアスホルダ３０は、直交する２つの片３１ａ，３１ｂを備え、これら２つの片３１ａ，３１ｂの内の一方の片３１ａに保持部としての貫通孔３２が形成された断面視Ｌ字形状の保持部材３１と、前記係着部材２５と同様に、３つの片３５ａ，３５ｂ，３５ｃからなる断面視コの字形状の係着部３６が形成された係着部材３５とからなる。
【００４１】
前記保持部材３１は、前記２つの片３１ａ，３１ｂの内の他方の片３１ｂに、その表裏を貫通した取付孔３４ａと、この取付孔３４ａの内壁面から当該他方の片３１ｂの端面に貫通し、その幅が取付孔３４ａの内径よりも小さいスリット孔３４ｂが形成されており、更に、一方の片３１ａには、前記貫通孔３２の上方に折り曲げ部としての直線状の溝３３が形成されている。また、前記係着部材３５の２つの片３５ａ，３５ｂと直交する片３５ｃの上面には、被取付部３７が形成されており、当該被取付部３７は、前記保持部材３１の取付孔３４ａの内径と略同径の円柱体３７ａと、この円柱体３７ａの上部に設けられ、その外径が前記取付孔３４ａの内径よりも大きいフランジ体３７ｂとからなる。
【００４２】
このピアスホルダ３０によれば、ピアスＰが保持された保持部材３１における取付孔３４ａに、係着部材３５の被取付部３７に取り付ける、具体的に言えば、前記スリット孔３４ｂを介して取付孔３４ａ内に被取付部３７の円柱体３７ａを移動させ、取付孔３４ａを介して円柱体３７ａに保持部材３１を係止させることで、当該保持部材３１を係着部材３５に取り付けて、ピアスホルダ３０を構成する。ついで、溝３３が形成された部分を起点に、貫通孔３２が形成されている側（以下、「保持部側」という）を図８の紙面左側に向けて揺動させた状態、言い換えれば、保持部側を係着部３６から遠ざけるように揺動させた状態で、係着部２６を被係着部材１２に係着させて、ピアスホルダ３０を陳列台に取り付ける（図９参照）。また、保持部側を同方向に揺動させた状態で、ピアスホルダ３０を上方に持ち上げることで、ピアスホルダ３０が陳列台から取り外される。
【００４３】
このように、ピアスホルダ３０においても、上記と同様に、保持部側を揺動させて、当該保持部側を係着部３６から遠ざけた状態で、取付・取外作業を行うことができるため、相応の効果を奏する。
【００４４】
尚、保持部材と係着部材とから構成されるピアスホルダにおいて、保持部材を係着部材に取り付ける方法は、上述した方法に限られるものではなく、適宜適切な方法を採用することができる。
【００４５】
更に、上例においては、ホルダを、耳飾りの一種であるピアスを保持するピアスホルダとしたが、これに限られるものではなく、耳飾りの一種であるイヤリングを保持するイヤリングホルダとしても良いし、指輪や首飾りといった他のアクセサリを含む種々の陳列物を保持するホルダとしても良い。
【符号の説明】
【００４６】
１      陳列用具
２      ピアスホルダ
３ａ    保持片
３ｂ    支持片
３ｃ    突出片
５      溝
６      係着部
１０    陳列台
１２    被係着部材１２
２０    ピアスホルダ
２１    保持部材
２３    溝
２５    係着部材
２６    係着部
Ｐ      ピアス
Ｐ１    針部
Ｐ２    留め具
【図１】
0003185951.tif 000003
【図２】
0003185951.tif 000004
【図３】
0003185951.tif 000005
【図４】
0003185951.tif 000006
【図５】
0003185951.tif 000007
【図６】
0003185951.tif 000008
【図７】
0003185951.tif 000009
【図８】
0003185951.tif 000010
【図９】
0003185951.tif 000011
【図１０】
0003185951.tif 000012